(57)【要約】【課題】任意の場所の近傍に存在する物品や人を速やかに確認する。【解決手段】物品確認システム１００は、複数の物品Ａ〜物品Ｍにそれぞれ付けられた無線タグ１ａ〜１ｍと、無線携帯端末１０とから構成される。物品が無線携帯端末１０の近傍に存在すれば、その無線タグから発信される電波を受信できるため、存在を確認できる。しかし、物品が無線携帯端末１０の近傍に存在しなければ、無線タグから電波を受信できないため、存在しないことを確認できる。【効果】任意の場所に存在する物品を速やかに確認できる。【選択図】　図１
2004093423.tif 000002
【特許請求の範囲】
【請求項１】
複数の対象体にそれぞれ取り付けられ且つ自他を識別可能に弱い電波を発信する無線タグと、前記無線タグからの電波を受信し且つ受信できた無線タグを取り付けた対象体を報知する携帯端末とを具備したことを特徴とする存在確認システム。
【請求項２】
請求項１に記載の存在確認システムにおいて、前記無線タグが、自他を識別可能にするためのＩＤを有することを特徴とする存在確認システム。
【請求項３】
請求項１または請求項２に記載の存在確認システムにおいて、前記携帯端末は、操作者が場所を入力するための場所入力手段と、操作者が入力した場所と電波を受信できた無線タグを取り付けた対象体とを対応付けた対象体確認記録を作成する対象体確認記録作成手段とを具備することを特徴とする存在確認システム。
【請求項４】
請求項３に記載の存在確認システムにおいて、前記携帯端末は、複数の場所に同一の対象体が対応付けられている場合に「重複」を報知することを特徴とする存在確認システム。
【請求項５】
複数の対象体にそれぞれ取り付けられ且つ自他を識別可能に弱い電波を発信する無線タグと、複数の対象体中から選択された対象体に取り付けた無線タグからの電波を受信できたか否かを報知する携帯端末とを具備したことを特徴とする存在確認システム。
【請求項６】
請求項１から請求項５のいずれかに記載の存在確認システムにおいて、前記携帯端末が、上位装置と通信するための通信手段を有することを特徴とする存在確認システム。
【請求項７】
請求項１から請求項６のいずれかに記載の存在確認システムにおいて、前記対象体が、物品であることを特徴とする存在確認システム。
【請求項８】
請求項１から請求項６に記載の存在確認システムにおいて、前記対象体が、人又は動物であることを特徴とする存在確認システム。
【発明の詳細な説明】
【０００１】
【発明の属する技術分野】
本発明は、存在確認システムに関し、さらに詳しくは、任意の場所の近傍に存在する物品や人を速やかに確認できる存在確認システムに関する。
【０００２】
【従来の技術】
ある部屋にどんな物品が置いてあるかを確認したい場合やある部屋に所望の物品が置いてあるか否かを確認したい場合、その部屋に置いてある物品を一つ一つ調べる必要があった。
また、ツアーの旅客が観光バスに全員乗っているか否かを確認したい場合、座席に座っている旅客を一人一人調べる必要があった。
【０００３】
【発明が解決しようとする課題】
しかし、部屋に置いてある物品を一つ一つ調べたり、座席に座っている旅客を一人一人調べるのは、手間がかかる問題点があった。
そこで、本発明の目的は、任意の場所の近傍に存在する物品や人を速やかに確認できる存在確認システムを提供することにある。
【０００４】
【課題を解決するための手段】
第１の観点では、本発明は、複数の対象体にそれぞれ取り付けられ且つ自他を識別可能に弱い電波を発信する無線タグと、前記無線タグからの電波を受信し且つ受信できた無線タグを取り付けた対象体を報知する携帯端末とを具備したことを特徴とする存在確認システムを提供する。
上記第１の観点による存在確認システムでは、複数の対象体にそれぞれ無線タグを取り付けておき、携帯端末を任意の場所で作動させれば、その場所の近傍（無線タグから発信される弱い電波の到達範囲）に存在する物品を速やかに確認できる。
【０００５】
第２の観点では、本発明は、上記構成の存在確認システムにおいて、前記無線タグが、自他を識別可能にするためのＩＤを有することを特徴とする存在確認システムを提供する。
上記第２の観点による存在確認システムでは、個々の無線タグにＩＤを付与するため、その無線タグＩＤにより個々の対象体を識別できる。
【０００６】
第３の観点では、本発明は、上記構成の存在確認システムにおいて、前記携帯端末は、操作者が場所を入力するための場所入力手段と、操作者が入力した場所と電波を受信できた無線タグを取り付けた対象体とを対応付けた対象体確認記録を作成する対象体確認記録作成手段とを具備することを特徴とする存在確認システムを提供する。
上記第３の観点による存在確認システムでは、存在を確認した場所と対象物とを対応付けて記録するため、固定資産管理に有用である。
【０００７】
第４の観点では、本発明は、上記構成の存在確認システムにおいて、前記携帯端末は、複数の場所に同一の対象体が対応付けられている場合に「重複」を報知することを特徴とする存在確認システムを提供する。
ある部屋に携帯端末を持ち込んで、その部屋に存在する対象物を確認しようとしても、壁を透過した電波を携帯端末が受信してしまい、隣の部屋に存在する対象物がその部屋に存在するように誤認する場合がある。
この場合、ある部屋と隣の部屋とで同一の対象体が対応付けらるため、上記第４の観点による存在確認システムでは、「重複」が報知されるから、誤認に気付くことが出来る。
【０００８】
第５の観点では、本発明は、複数の対象体にそれぞれ取り付けられ且つ自他を識別可能に弱い電波を発信する無線タグと、複数の対象体中から選択された対象体に取り付けた無線タグからの電波を受信できたか否かを報知する携帯端末とを具備したことを特徴とする存在確認システムを提供する。
上記第５の観点による存在確認システムでは、複数の対象体にそれぞれ無線タグを取り付けておき、携帯端末で所望の対象物を選択すれば、その場所の近傍（無線タグから発信される弱い電波の到達範囲）に所望の対象物が存在するか否かを速やかに確認できる。
【０００９】
第６の観点では、本発明は、上記構成の存在確認システムにおいて、前記携帯端末が、上位装置と通信するための通信手段を有することを特徴とする存在確認システムを提供する。
上記第６の観点による存在確認システムでは、上位装置と接続することにより、より高度の処理（例えば固定資産データベースの運営）を行えるようになる。
【００１０】
第７の観点では、本発明は、上記構成の存在確認システムにおいて、前記対象体が、物品であることを特徴とする存在確認システムを提供する。
上記第７の観点による存在確認システムでは、任意の場所の近傍に存在する物品を速やかに確認できる。
【００１１】
第８の観点では、本発明は、上記構成の存在確認システムにおいて、前記対象体が、人又は動物であることを特徴とする存在確認システムを提供する。
上記第８の観点による存在確認システムでは、任意の場所の近傍に存在する人や動物を速やかに確認できる。
【００１２】
【発明の実施の形態】
以下、本発明の実施の形態を説明する。なお、これにより本発明が限定されるものではない。
【００１３】
−第１の実施形態−
図１は、第１の実施形態にかかる物品確認システム１００を示す構成図である。
この物品確認システム１００は、複数の物品Ａ〜物品Ｍにそれぞれ付けられた無線タグ１ａ〜１ｍと、無線携帯端末１０とから構成されている。
物品Ａ〜物品Ｍは、実験室αと実験室βとに分けて置かれている。
【００１４】
図２は、無線タグ１ａの構成ブロック図である（他の無線タグも同じ構成である）。
無線タグ１ａは、無線携帯端末１０との間で電波を送受信するためのアンテナ２と、受信電波から受信情報を抽出したり送信電波に送信情報を乗せる送受信回路３と、受信情報および送信情報を処理するマイコン４と、プログラムやデータを記憶するメモリ５とを具備している。なお、送受信回路３とマイコン４とメモリ５とが処理回路２０を構成している。
【００１５】
また、無線タグ１ａは、無線携帯端末１０からの電波を受信するためのアンテナ６と、特定の電波を検出すると閾値より高い電圧を出力し特定の電波を検出しなくなると所定時間後に閾値より低い電圧を出力する特定電波検出回路７と、閾値より高い電圧が入力されている期間だけ電池９から処理回路２０へ電力を供給する電力供給制御回路８とを具備している。これにより、電池９の消耗を防ぐことが出来る。
【００１６】
図３は、無線携帯端末１０の構成ブロック図である。
無線携帯端末１０は、無線タグ１ａ〜１ｍとの間で電波を送受信するためのアンテナ１１と、受信電波から受信情報を抽出したり送信電波に送信情報を乗せる送受信回路１２と、受信情報および送信情報を処理するマイコン１３と、プログラムやデータを記憶するメモリ１４と、液晶表示部１５と、操作部１６と、上位装置接続用インタフェース１７とを具備している。
また、メモリ１４は、図６に示す物品リスト２１を保持している。また、図７に示す物品確認記録２２を保持していることもある。
【００１７】
図４は、無線タグ１ａの特定電波検出回路７と電力供給制御回路８の回路図である。
特定電波検出回路７は、特定周波数の電波を受信したときに電圧Ｖ１を最大にする同調回路７ａと、電圧Ｖ１を昇圧するコッククロフト（ｃｏｃｋｃｒｏｆｔ）回路７ｂとから構成される。
電力供給制御回路８は、処理回路２０への電力供給のオン／オフを行うスイッチング素子８ａと、特定周波数の電波を受信していない時の電圧Ｖ２より高く且つ特定周波数の電波を受信した時の電圧Ｖ２より低い閾値電圧Ｖｒと電圧Ｖ２とを比較してＶｒ＜Ｖ２の時にスイッチング素子８ａによる処理回路２０への電力供給をオンするコンパレータ８ｂとから構成される。
【００１８】
図５は、無線携帯端末１０の動作を示すフロー図である。
ステップＭ１，Ｍ２では、操作者から「物品の所在確認」を指示されるのを待ち、指示されたらステップＭ３へ進む。
【００１９】
ステップＭ３，Ｍ４では、液晶表示部１５に物品リスト（２１）を表示し、操作者から「全物品」または一つの物品が選択されるのを待ち、「全物品」が選択されたらステップＭ５へ進み、一つの物品が選択されたらステップＭ２１へ進む。
【００２０】
ステップＭ５では、操作者が場所を入力するのを受け付ける。なお、予め登録してある場所リスト中から選択するようにしてもよい。
【００２１】
ステップＭ６では、物品リスト２１から一つの物品を選択する。
ステップＭ７では、選択した物品の無線タグＩＤを電波発信する。
選択物品が無線携帯端末１０の近傍に存在すれば、その無線タグが電波を受信するため、後述するように応答コードを発信してくる。しかし、選択物品が無線携帯端末１０の近傍に存在しなければ、その無線タグが電波を受信できないため、後述するように応答コードを発信してこない。
【００２２】
ステップＭ８では、応答コードを受信したらステップＭ９へ進み、応答コードを受信しなかったらステップＭ１０へ進む。
【００２３】
ステップＭ９では、選択した物品が近傍に存在することを液晶表示部１５に表示する。このとき、物品確認記録２２がなければ、新たに作成する。物品確認記録２２があれば、その内容を更新し、異なる場所に同一の物品が重複記録されているか否かをチェックし、重複しているなら「重複」の警告メッセージを表示する。そして、ステップＭ１１へ進む。
【００２４】
ステップＭ１０では、選択した物品が近傍に存在しないことを液晶表示部１５に表示する。このとき、物品確認記録２２があれば、その内容を更新する。そして、ステップＭ１１へ進む。
【００２５】
ステップＭ１１では、物品リスト２１の全ての物品を選択済みならステップＭ１５へ進み、未選択の物品が残っているならステップＭ６へ戻って未選択の物品中から一つの物品を選択しステップＭ７〜Ｍ１０を繰り返す。
【００２６】
ステップＭ１５では、物品確認記録２２の内容を液晶表示部１５に表示し、編集操作を受け付ける。例えば、操作者は、「重複」があれば、どの場所に存在するのが正しいのかを自分で確かめて、それに合わせて物品確認記録２２の内容を修正する。そして、操作者は、編集が必要ないか、編集が終われば、「終了」を指示する。すると、ステップＭ１に戻る。
【００２７】
ステップＭ２１では、操作者が選択した物品の無線タグＩＤを電波発信する。ステップＭ２２では、応答コードを受信したらステップＭ２３へ進み、応答コードを受信しなかったらステップＭ２４へ進む。
【００２８】
ステップＭ２３では、選択した物品が近傍に存在することを液晶表示部１５に表示する。そして、ステップＭ１に戻る。
【００２９】
ステップＭ２４では、選択した物品が近傍に存在しないことを液晶表示部１５に表示する。そして、ステップＭ１に戻る。
【００３０】
図６は、物品リスト２１の概念図である。
物品リスト２１は、予め無線携帯端末１０で作成するか、上位装置で作成してから無線携帯端末１０に転送する。
【００３１】
図７は、図５のステップＭ９で新たに作成した物品確認記録２２の例である。この物品確認記録２２は、実験室αに無線携帯端末１０を持ち込んで確認した物品である。ここで、物品Ｃは、実際には実験室βに置かれているが、壁を通して電波を送受信できたため、実験室αに置かれているように誤認を生じている。
【００３２】
図８は、図５のステップＭ９で更新した物品確認記録２２の例である。
この物品確認記録２２は、実験室αに無線携帯端末１０を持ち込んで確認した後、実験室βに無線携帯端末１０を持ち込んで確認した物品である。ここで、物品Ｂは、実際には実験室αに置かれているが、壁を通して電波を送受信できたため、実験室βに置かれているように誤認を生じている。この結果、物品Ｂ，Ｃについて「重複」の警告メッセージが表示される。
【００３３】
図９は、図５のステップＭ１１で、実験室αの物品Ｃを削除すると共に実験室βの物品Ｂを削除する編集を行った後の物品確認記録２２の例である。
重複がなくなり、正しい物品確認記録２２が得られている。
【００３４】
図１０は、無線タグ１ａの動作を示すフロー図である。
無線携帯端末１０からの電波を無線タグ１ａが受信すると、処理回路２０に給電され、図１０の処理がマイコン４で実行される。
ステップＴ１では、マイコン４は、送受信回路３から得た情報を解析し、受信した電波が含む無線タグＩＤが自己の無線タグＩＤと一致するか否かを判定し、一致するならステップＴ２へ進み、一致しないなら処理を終了する。
ステップＴ２では、マイコン４は、送受信回路３を介して「応答コード」を電波発信する。そして、処理を終了する。
【００３５】
図１１に示すように、無線携帯端末１０は、クレードル３０を介して、上位計算機４０と接続することが出来る。
上位計算機４０は、固定資産管理のための物品管理データベース４１を保持しており、無線携帯端末１０から物品確認記録２２を読み出して、物品管理データベース４１を更新する。
なお、クレードル３０を介してネットワークに接続し、遠隔の上位計算機と接続することも出来る。
【００３６】
以上の物品確認システム１００によれば、無線携帯端末１０を所持することにより、任意の場所で、その場所に存在する物品の確認を迅速に行うことが出来る。
【００３７】
−第２の実施形態−
図１２は、第２の実施形態にかかる旅客確認システム２００を示す構成図である。
この旅客確認システム２００は、観光バスγでツアーを楽しむ旅客Ａ〜旅客Ｓがそれぞれ身につけた無線タグ１ａ〜１ｓと、無線携帯端末１０’とから構成されている。
【００３８】
無線タグ１ａ〜１ｓの構成は、第１の実施形態と同じである。
【００３９】
図１３は、無線携帯端末１０’の構成ブロック図である。
無線携帯端末１０’は、無線タグ１ａ〜１ｓとの間で電波を送受信するためのアンテナ１１と、受信電波から受信情報を抽出したり送信電波に送信情報を乗せる送受信回路１２と、受信情報および送信情報を処理するマイコン１３と、プログラムやデータを記憶するメモリ１４と、液晶表示部１５と、操作部１６と、上位装置接続用インタフェース１７とを具備している。
また、メモリ１４は、図１４に示す旅客リスト２１’を保持している。
【００４０】
図１５は、無線携帯端末１０’の動作を示すフロー図である。
ステップｍ１，ｍ２では、操作者から「旅客の所在確認」を指示されるのを待ち、指示されたらステップｍ６へ進む。
【００４１】
ステップｍ６では、旅客リスト２１’から一人の旅客を選択する。
ステップｍ７では、選択した旅客の無線タグＩＤを電波発信する。
選択旅客が無線携帯端末１０’の近傍に存在すれば、その無線タグが電波を受信するため、応答コードを発信してくる。しかし、選択旅客が無線携帯端末１０’の近傍に存在しなければ、その無線タグが電波を受信できないため、後述するように応答コードを発信してこない。
【００４２】
ステップｍ８では、応答コードを受信したらステップｍ９へ進み、応答コードを受信しなかったらステップｍ１０へ進む。
【００４３】
ステップｍ９では、選択した旅客が近傍に存在することを液晶表示部１５に表示する。そして、ステップｍ１１へ進む。
【００４４】
ステップｍ１０では、選択した旅客が近傍に存在しないことを液晶表示部１５に表示する。そして、ステップｍ１１へ進む。
【００４５】
ステップｍ１１では、旅客リスト２１’の全ての旅客を選択済みならステップｍ１６へ進み、未選択の旅客が残っているならステップｍ６へ戻って未選択の旅客中から一人の旅客を選択しステップｍ７〜ｍ１０を繰り返す。
【００４６】
ステップｍ１６では、存在しない旅客名を液晶表示部１５に表示する。そして、操作者が「終了」を指示すると、ステップｍ１に戻る。
【００４７】
以上の旅客確認システム２００によれば、ツアーコンダクターやツアーのリーダーは、無線携帯端末１０’を所持することにより、任意の場所で、その場所にいる旅客およびその場所にいない旅客の確認を迅速に行うことが出来る。
【００４８】
−他の実施形態−
（１）無線タグＩＤを含む電波を無線タグ側から発信するようにしてもよい。
（２）本発明は、観用植物レンタル業で観用植物に無線タグを付けて管理する場合や家畜飼育業で家畜に無線タグを付けて管理する場合にも適用しうる。
【００４９】
【発明の効果】
本発明の存在確認システムによれば、任意の場所の近傍に存在する物品や人を速やかに確認できる。
【図面の簡単な説明】
【図１】第１の実施形態に係る物品確認システムを示す構成図である。
【図２】無線タグの構成ブロック図である。
【図３】第１の実施形態に係る無線携帯端末の構成ブロック図である。
【図４】無線タグの特定電波検出回路と電力供給制御回路の回路図である。
【図５】第１の実施形態に係る無線携帯端末の動作を示すフロー図である。
【図６】物品リストの例示図である。
【図７】新たに作成した物品確認記録の例示図である。
【図８】更新された物品確認記録の例示図である。
【図９】編集された物品確認記録の例示図である。
【図１０】無線タグの動作を示すフロー図である。
【図１１】無線携帯端末と上位計算機の接続を示す説明図である。
【図１２】第２の実施形態に係る旅客確認システムを示す構成図である。
【図１３】第２の実施形態に係る無線携帯端末の構成ブロック図である。
【図１４】旅客リストの例示図である。
【図１５】第２の実施形態に係る無線携帯端末の動作を示すフロー図である。
【符号の説明】
１ａ，１ｂ，１ｃ，…　　　無線タグ
１０，１０’　　　　　　　無線携帯端末
１００　　　　　　　　　　物品確認システム
２００　　　　　　　　　　旅客確認システム
【図１】
2004093423.tif 000003
【図２】
2004093423.tif 000004
【図３】
2004093423.tif 000005
【図４】
2004093423.tif 000006
【図５】
2004093423.tif 000007
【図６】
2004093423.tif 000008
【図７】
2004093423.tif 000009
【図８】
2004093423.tif 000010
【図９】
2004093423.tif 000011
【図１０】
2004093423.tif 000012
【図１１】
2004093423.tif 000013
【図１２】
2004093423.tif 000014
【図１３】
2004093423.tif 000015
【図１４】
2004093423.tif 000016
【図１５】
2004093423.tif 000017